(57)【要約】【課題】加熱された炊飯部の底面の熱を外部へ効果的に逃すことができ、炊飯部を載置したテーブル等の上面が過度に加熱される事態を防止できる炊飯器を提供する。【解決手段】炊飯器は、内釜を内部に収容する炊飯部と、炊飯部を上面に載せて加熱調理する誘導加熱調理部と、を備えている。炊飯部には、底面から誘導加熱調理部に向かって突き出す底面壁が、底面の外縁部に沿って設けられている。底面壁には、底面壁によって囲まれた内部と外部とを連通させる壁面開口部が形成されている。【選択図】図５
2019041958.tif 000002
【特許請求の範囲】
【請求項１】
内釜を内部に収容する炊飯部と、
前記炊飯部を上面に載せて加熱調理する誘導加熱調理部と、を備え、
前記炊飯部には、底面から前記誘導加熱調理部に向かって突き出す底面壁が、前記底面の外縁部に沿って設けられており、
前記底面壁には、前記底面壁によって囲まれた内部と外部とを連通させる壁面開口部が形成されている、炊飯器。
【請求項２】
前記壁面開口部は、前記底面壁を切り欠いて形成された切り欠き孔であり、
前記誘導加熱調理部には、前記壁面開口部と対向する位置に、前記壁面開口部に嵌まる突起部が設けられている、請求項１に記載の炊飯器。
【請求項３】
前記誘導加熱調理部には、前記炊飯部を加熱調理する上面の外周縁に沿って下方に窪んだ段差部が形成されており、
前記突起部は、前記段差部において、先端部が前記誘導加熱調理部の上面よりも下方となるように設けられている、請求項２に記載の炊飯器。
【請求項４】
前記誘導加熱調理部には、前記炊飯部を加熱調理する上面の外周縁に沿って下方に窪んだ段差部が形成されており、
前記突起部は、前記段差部において、先端部が前記誘導加熱調理部の上面よりも上方となるように設けられている、請求項２に記載の炊飯器。
【請求項５】
前記炊飯部は、前記底面に形成された吸気孔と、外側面に形成されて前記吸気孔と連通する排気孔と、を有する、請求項１〜４のいずれか一項に記載の炊飯器。
【発明の詳細な説明】
【技術分野】
【０００１】
本発明は、内釜を内部に収容する炊飯部と、炊飯部を上面に載せて加熱調理する誘導加熱調理部とで構成された分離型の炊飯器に関するものである。
【背景技術】
【０００２】
従来、例えば特許文献１に開示されているように、内釜を内部に収容する炊飯部と、炊飯部を上面に載せて加熱調理する誘導加熱調理部とで構成された分離型の炊飯器が知られている。この炊飯器は、炊飯部と誘導加熱調理部とを分離させることで、炊飯部を御櫃として食卓に運んで使用することができ、誘導加熱調理部をＩＨ調理器として単独で使用することができる。
【先行技術文献】
【特許文献】
【０００３】
【特許文献１】特開２０１７−７９２０７号公報
【発明の概要】
【発明が解決しようとする課題】
【０００４】
特許文献１に開示された炊飯器では、分離した炊飯部を御櫃として食卓に運び、テーブル等に載置させた場合、誘導加熱調理部によって加熱された炊飯部の底面によってテーブルの上面が加熱される。そのため、熱によって変形しやすいテーブルクロス等のシートをテーブルの上面に敷いていた場合には、該シートが炊飯部によって加熱されて変形等する虞がある。
【０００５】
本発明は、上記のような課題を解決するためになされたもので、加熱された炊飯部の底面の熱を外部へ効果的に逃すことができ、炊飯部を載置したテーブル等の上面が過度に加熱される事態を防止できる炊飯器を提供することを目的とする。
【課題を解決するための手段】
【０００６】
本発明に係る炊飯器は、内釜を内部に収容する炊飯部と、前記炊飯部を上面に載せて加熱調理する誘導加熱調理部と、を備え、前記炊飯部には、底面から前記誘導加熱調理部に向かって突き出す底面壁が、前記底面の外縁部に沿って設けられており、前記底面壁には、前記底面壁によって囲まれた内部と外部とを連通させる壁面開口部が形成されているものである。
【発明の効果】
【０００７】
本発明に係る炊飯器によれば、底面壁によって囲まれた内部と外部とを連通させる壁面開口部が底面壁に形成されているので、加熱された炊飯部の底面の熱を、壁面開口部を通じて外部へ効果的に逃すことができ、炊飯部を載置したテーブル等の上面が過度に加熱される事態を防止できる。
【図面の簡単な説明】
【０００８】
【図１】本発明の実施の形態に係る炊飯器を上面側から見た外観斜視図である。
【図２】本発明の実施の形態に係る炊飯器の側面図である。
【図３】本発明の実施の形態に係る炊飯器であって、一部破断して内部構造を示した側面図である。
【図４】本発明の実施の形態に係る炊飯器であって、一部破断して内部構造を示した正面図である。
【図５】本発明の実施の形態に係る炊飯器の炊飯部を底面側から見た外観斜視図である。
【図６】本発明の実施の形態に係る炊飯器の誘導加熱調理部を示した外観斜視図である。
【図７】本発明の実施の形態に係る炊飯器の誘導加熱調理部の異なる形態を示した外観斜視図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態．
図１は、本発明の実施の形態に係る炊飯器を上面側から見た外観斜視図である。図２は、本発明の実施の形態に係る炊飯器の側面図である。図３は、本発明の実施の形態に係る炊飯器であって、一部破断して内部構造を示した側面図である。図４は、本発明の実施の形態に係る炊飯器であって、一部破断して内部構造を示した正面図である。図５は、本発明の実施の形態に係る炊飯器の炊飯部を底面側から見た外観斜視図である。
【００１１】
本実施の形態に係る炊飯器１００は、図１に示すように、内釜１３を内部に収容する炊飯部１と、炊飯部１の上面に載せて加熱調理する誘導加熱調理部２と、で構成された分離型の炊飯器である。この炊飯器１００は、炊飯部１と誘導加熱調理部２とを分離して、それぞれ単独で使用することができる。つまり、炊飯器１００は、分離した炊飯部１を御櫃として食卓に運んで使用することができ、分離した誘導加熱調理部２をＩＨ調理器として使用することができる。炊飯部１と誘導加熱調理部２には、それぞれ内部に制御部が設けられており、制御部に接続された通信端子で無線通信が行われる。
【００１２】
先ず、炊飯部１の構成について説明する。炊飯部１は、図１及び図２に示すように、上面に開口部を有する本体部１０と、本体部１０の開口部を開閉可能に覆う蓋体１１と、を備えている。
【００１３】
本体部１０は、図１〜図５に示すように、外観が有底筒状とされ、内部に内釜１３が着脱自在に装着されている。本体部１０の前面側には、蓋体１１の開閉を行う蓋開閉ボタン１０ａが設けられている。使用者は、蓋開閉ボタン１０ａを押すことで、蓋体１１の閉状態が解除され、本体部１０を開口させることができる。
【００１４】
また、本体部１０には、図１及び図２に示すように、炊飯部１を誘導加熱調理部２から分離させて持ち運ぶ際のハンドル１４が取り付けられている。ハンドル１４は、略Ｕ字形状であり、両端部が本体部１０の側面に回動自在に取り付けられている。
【００１５】
本体部１０には、図５に示すように、底面から誘導加熱調理部２に向かって突き出す底面壁３が、底面の外縁部に沿って設けられている。底面壁３には、底面壁３によって囲まれた内部と外部とを連通させる壁面開口部３０が形成されている。
【００１６】
壁面開口部３０は、底面壁３を切り欠いて形成された台形状の切り欠き孔である。壁面開口部３０は、底面の外縁部に沿って間隔をあけて複数個（図示例では１２個）形成されている。この壁面開口部３０は、誘導加熱調理部２から分離させた炊飯部１を御櫃として食卓に運びテーブル等に載置させた場合に、加熱された炊飯部１の底面の熱を外部へ逃がす目的で形成されている。壁面開口部３０は、空気の対流を形成するため、本体部１０の前後左右において対向する底面壁３に形成することが望ましい。
【００１７】
なお、壁面開口部３０の形状、大きさ、及び個数は、図示した形態に限定されない。壁面開口部３０は、例えば周囲が囲まれた矩形孔又は円形孔でもよい。また、壁面開口部３０は、円弧状に切り欠いた切り欠き孔でもよい。要するに、壁面開口部３０は、本体部１０の大きさ及び形状に応じて適宜設計変更して設けるものとする。
【００１８】
また、本体部１０には、図３及び図５に示すように、底面に形成された吸気孔４と、背面側の側面に形成されて吸気孔４と連通する排気孔５とを有している。つまり、炊飯部１は、吸気孔４と排気孔５によって、底面壁３で囲まれた内部と外部とが連通している。これにより、炊飯部１は、吸気孔４と排気孔５で空気の対流を形成することができるので、壁面開口部３０から流入した空気によって、加熱された炊飯部１の底面の熱を吸気孔４から排気孔５を通じて外部へ逃がすことができる。
【００１９】
なお、排気孔５は、本体部１０の背面側の側面に形成された構成に限定されない。排気孔５は、例えば本体部１０のその他の側面、或いは蓋体１１に設けてもよい。要するに、排気孔５は、吸気孔４と連通して壁面開口部３０と共に空気の対流を形成することができれば、炊飯部１のどの位置に設けてもよい。
【００２０】
また、本実施の形態の炊飯器１００は、必ずしも吸気孔４と排気孔５とを設ける必要はなく、壁面開口部３０のみで、加熱された炊飯部１の底面の熱を外部へ逃がす構成でもよい。
【００２１】
内釜１３は、有底円筒形状を有し、誘導加熱により発熱する炭素材で構成される。なお、内釜１３は、例えばセラミック等の非金属材料で形成される容器（いわゆる土鍋）またはアルミとステンレスのクラッド材等の金属容器であっても良い。内釜１３の内部には、被調理物である米および水が収容される。
【００２２】
蓋体１１は、背面側の端部がヒンジ機構部１２によって本体部１０の上部に連結されている。蓋体１１は、閉じた状態で蓋開閉ボタン１０ａが押下されると、ヒンジ機構部１２のヒンジ軸を中心とし、背面側に向かって回動させることができる。蓋体１１には、図１に示すように、炊飯部１の内部で生じた蒸気を逃すための蒸気口１１ａが設けられている。
【００２３】
また、蓋体１１には、図１に示すように、使用者によって炊飯条件等が入力される第１入力操作手段１５が設けられている。第１入力操作手段１５は、例えば予熱工程、炊飯工程、むらし工程等を実行するための操作入力を受け付ける操作手段である。第１入力操作手段１５は、図示省略の制御部に接続されており、通信端末を通じて、誘導加熱調理部２に通信される。なお、第１入力操作手段１５は、押圧式の入力キーが複数の配置された構成であるが、タッチ式の入力キーとしてもよいし、両者を併用してもよい。
【００２４】
次に、誘導加熱調理部２の構成を、図１〜図５を参照しつつ、図６及び図７に基づいて説明する。図６は、本発明の実施の形態に係る炊飯器の誘導加熱調理部を示した外観斜視図である。誘導加熱調理部２は、例えば食卓などの上に置いて使用する卓上型の電磁調理器である。
【００２５】
誘導加熱調理部２は、図６に示すように、外観が薄型の略直方体状である。誘導加熱調理部２は、上面に結晶化ガラス等で構成されたトッププレート２０が設けられている。誘導加熱調理部２には、トッププレート２０の外周縁に沿って下方に窪んだ段差部２１が形成されている。誘導加熱調理部２の段差部２１は、炊飯部１の底面壁３の端面が突き当たり、該底面壁３がきっちりと収まる形状及び大きさで形成されている。つまり、炊飯器１００は、炊飯部１を誘導加熱調理部２に載置させた場合、誘導加熱調理部２の段差部２１に炊飯部１の底面壁３が嵌り、トッププレート２０が底面壁３の内部に収納されるようになっている。
【００２６】
誘導加熱調理部２の段差部２１には、壁面開口部３０と対向する位置に、壁面開口部３０に嵌まる突起部６が設けられている。これは、誘導加熱調理部２の上面に炊飯部１を載せて加熱調理する際に、突起部６で壁面開口部３０を塞ぎ、誘導加熱調理部２によって加熱された熱が外部へ漏れること防止するためである。また、炊飯器１００の側面を孔のないフラットな状態とし、布巾等で汚れをふき取る際の清掃性を高めるためでもある。
【００２７】
突起部６は、先端部が誘導加熱調理部２のトッププレート２０よりも下方となるように設けられている。これは、炊飯部１を分離して誘導加熱調理部２をＩＨ調理器として単独で使用する場合であって、調理容器をトッププレート２０に載せる際に、突起部６の存在が邪魔にならず、様々な大きさの調理容器を使用できるようにするためである。また、誘導加熱調理部２のトッププレート２０に調理容器の底面を密着させて誘導加熱効率を確保するためでもある。
【００２８】
なお、図７は、本発明の実施の形態に係る炊飯器の誘導加熱調理部の異なる形態を示した外観斜視図である。図７に示すように、突起部７は、段差部２１において、先端部が誘導加熱調理部２のトッププレート２０よりも上方となるように設けてもよい。この場合、炊飯器１００は、トッププレート２０に納まる小さい調理容器を使用すると、突起部７によって調理容器の移動範囲が制限されるので、調理中に調理容器が傾いたり、トッププレート２０から誤って落下したりするといった事態を防止することができる。
【００２９】
誘導加熱調理部２には、図６に示すように、上面の前方側に第２入力操作手段２２が設けられている。この第２入力操作手段２２は、押圧式の各種入力ボタンが配置されており、制御部２３に接続されている。各種入力ボタンとは、例えば火力、調理メニュー、及び調理時間等の各種条件を入力するものである。誘導加熱調理部２は、第２入力操作手段２２を操作することで、炊飯部１と無関係に単独で誘導加熱調理を行える。第２入力操作手段２２は、図１〜図４に示すように、炊飯部１と誘導加熱調理部２とを組み合わせた場合、トッププレート２０と共に底面壁３の内部に収納されるようになっている。
【００３０】
また、誘導加熱調理部２の内部には、図３及び図４に示すように、誘導加熱コイル２４と、温度センサー２５と、フェライト２６と、電源基板２７とが設けられている。誘導加熱コイル２４は、誘導加熱調理部２の内部のほぼ中央に配置されており、第１入力操作手段１５および第２入力操作手段２２の操作入力に基づいて制御部２３によって制御される。誘導加熱コイル２４は、通電により交番磁界を発生し、被加熱物を電磁誘導により加熱する。また、温度センサー２５は、内釜１３又はトッププレート２０の温度を検知するために設けられており、制御部２３に接続されている。
【００３１】
また、フェライト２６は、誘導加熱コイル２４の巻線と直交するように設けられている。フェライト２６は、誘導加熱コイル２４から発生する磁力線をトッププレート２０の上方の被加熱物に集中させるために設けられている。
【００３２】
また、電源基板２７は、誘導加熱調理部２の内部の背面側に設けられている。電源基板２７は、商用電源の交流電力を直流電力に変換するコンバーターと、コンバーターからの直流電力を交流電力に変換し、誘導加熱コイル２４に供給するインバーターと、インバーターを制御する制御回路と、が実装されている。電源基板２７は、信号線を介して制御部２３と接続されている。
【００３３】
ところで、従来の炊飯器１００では、分離した炊飯部１を御櫃として食卓に運びテーブル等に載置させた場合、誘導加熱調理部２によって加熱された炊飯部１の底面によってテーブルの上面が加熱される。そのため、熱によって変形しやすいテーブルクロス等のシートをテーブルの上面に敷いていた場合には、該シートが炊飯部１によって加熱されて変形等する虞がある。
【００３４】
そこで、上記したように、本実施の形態の炊飯器１００の炊飯部１には、底面から誘導加熱調理部２に向かって突き出す底面壁３が、底面の外縁部に沿って設けられている。底面壁３には、底面壁３によって囲まれた内部と外部とを連通させる壁面開口部３０が形成されている。したがって、炊飯器１００は、誘導加熱調理部２から分離させた炊飯部１を御櫃として食卓に運びテーブル等に載置させた場合であっても、加熱された炊飯部１の底面の熱を、壁面開口部３０に通じて外部へ逃がすことができるので、テーブル等の上面が過度に加熱される事態を防止できる。
【００３５】
また、本実施の形態の炊飯器１００は、壁面開口部３０が底面壁３を切り欠いて形成された切り欠き孔であり、誘導加熱調理部２の壁面開口部３０と対向する位置に、壁面開口部３０に嵌まる突起部６が設けられている。よって、炊飯器１００は、誘導加熱調理部２の上面に炊飯部１を載せて加熱調理する際に、突起部６で壁面開口部３０を塞ぐことができるので、誘導加熱調理部２によって加熱された熱が外部へ漏れることなく、加熱調理効果を高めることができる。
【００３６】
また、本実施の形態の炊飯器１００の誘導加熱調理部２には、炊飯部１を加熱調理する上面の外周縁に沿って下方に窪んだ段差部２１が形成されている。突起部６は、段差部２１において、先端部が誘導加熱調理部２の上面よりも下方となるように設けられている。よって、炊飯器１００は、炊飯部１を分離して誘導加熱調理部２をＩＨ調理器として単独で使用する場合であって、調理容器を上面に載せる際に、突起部６の存在が邪魔にならず、様々な大きさの調理容器を使用することができるから、使い勝手に優れている。
【００３７】
一方、突起部６は、段差部２１において、先端部が誘導加熱調理部２の上面よりも上方となるように設けることもできる。この場合、炊飯器１００は、誘導加熱調理部２の上面に納まる小さい調理容器を使用すると、突起部７によって調理容器の移動範囲が制限されるので、調理中に調理容器が傾いたり、誘導加熱調理部２の上面から誤って落下したりするといった事態を防止できる。
【００３８】
また、本実施の形態の炊飯器１００の炊飯部１は、底面に形成された吸気孔４と、外側面に形成されて吸気孔４と連通する排気孔５と、を有している。よって、炊飯器１００は、吸気孔４と排気孔５で空気の対流を形成することができるので、壁面開口部３０から流入した空気によって、加熱された炊飯部１の底面の熱を吸気孔４から排気孔５を通じて外部へ排出させることができ、テーブル等の上面が過度に加熱される事態をより効果的に防止できる。
【００３９】
以上に本発明を実施の形態に基づいて説明したが、本発明は上述した実施の形態の構成に限定されるものではない。例えば、図示した炊飯器１００の構成は、一例であって、上述した内容に限定されるものではなく、他の構成要素を含んだ炊飯器であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００４０】
１  炊飯部、２  誘導加熱調理部、３  底面壁、４  吸気孔、５  排気孔、６、７  突起部、１０  本体部、１０ａ  蓋開閉ボタン、１１  蓋体、１１ａ  蒸気口、１２  ヒンジ機構部、１３  内釜、１４  ハンドル、１５  第１入力操作手段、２０  トッププレート、２１  段差部、２２  第２入力操作手段、２３  制御部、２４  誘導加熱コイル、２５  温度センサー、２６  フェライト、２７  電源基板、３０  壁面開口部、１００  炊飯器。
【図１】
2019041958.tif 000003
【図２】
2019041958.tif 000004
【図３】
2019041958.tif 000005
【図４】
2019041958.tif 000006
【図５】
2019041958.tif 000007
【図６】
2019041958.tif 000008
【図７】
2019041958.tif 000009